(57)【特許請求の範囲】
【請求項１】
巻取り機を接続可能であると共に、プリンターから排出される用紙片を順次積載するスタッカーであって、
用紙片を積載する底面部と、
プリンターから排出される用紙片を前記底面部に向けて搬送する搬送部と、
前記底面部に着脱可能に設けられ、用紙片の搬送方向先端に当接する用紙ストッパーと、
前記搬送部に対して当接または離反位置に移動可能で、当接位置でプリンターから排出される用紙片を挟持搬送する用紙押えローラと、
前記用紙ストッパーの着脱に伴い、前記用紙押さえローラを当接位置または離反位置に移動させる接離機構と、
を有することを特徴とするスタッカー。
【請求項２】
前記用紙押えローラは、底面部に対して前記用紙ストッパーが装着状態で当接位置に位置し、前記用紙ストッパーが未装着状態で離反位置に位置することを特徴とする請求項１記載のスタッカー。
【請求項３】
前記用紙ストッパーは底面部への装着面に設けられた突出片を有し、
前記底面部に設けられ、前記突出片を挿通した状態で摺動可能にガイドするストッパーガイド溝を有し、
前記接離機構はストッパーガイド溝の直下に設けられ、前記用紙ストッパーが装着状態で前記突出片により押下げられることで用紙押えローラを当接位置に移動させることを特徴とする請求項１または２記載のスタッカー。
【請求項４】
前記接離機構は、  
ストッパーガイド溝の直下に設けられ、前記用紙ストッパーが装着状態で前記突出片により押下げられることにより移動可能な押下げ片と、
一端部が押下げ片の下方に位置し、揺動軸を支点として揺動可能な連動部材と、
前記連動部材の他端部の上方に一端部が位置し、他端部が用紙押さえローラの端部に向かって配置され、揺動軸を支点として揺動可能な揺動部材と、
前記揺動部材の他端部と用紙押さえローラの端部に渡って設けられ、用紙押えローラを押下げる方向に付勢する第１の付勢手段と、
用紙押さえローラを押し上げる方向に付勢する第２の付勢手段と、
を有することを特徴とする請求項１ないし３のいずれかに記載のスタッカー。
【請求項５】
前記第１の付勢手段の付勢力は前記第２の付勢手段の付勢力よりも強いことを特徴とする請求項４記載のスタッカー。
【発明の詳細な説明】
【技術分野】
【０００１】
本発明は、プリンターから順次印字発行されるタグ等の紙片を積層するスタッカーに関する。
【背景技術】
【０００２】
ロール状のラベル連続紙へ所定の情報を印字するプリンターが知られている。このプリンターで発行された大量のラベルを蓄積するための各種接続機器が存在する。例えば、プリンターのカッタで単葉状に切断され、排出されるラベル片を重ねて積載するスタッカーや、プリンターから排出されるラベル連続体をロール状に巻回する巻取り機などがある。スタッカーと巻取り機はそれぞれラベルの用途に応じて使い分けられ、スタッカーとプリンター又は巻取り機とプリンターとの動作を連動させるため、スタッカーや巻取り機は接続ケーブル等でプリンターと接続し、プリンターからの制御信号を受信できるように構成されている。例えば、ラベルの発行に合わせてスタッカーの搬送手段を駆動したり、発行停止に合わせて巻取り機のラベル巻取手段の駆動を停止したりなどの動作を連動可能としている。スタッカーとプリンターまたは巻取り機とプリンターのいずれか一方での形態で使用されるが、用途に応じてプリンターに対して接続された機器の取付け、取外し作業が煩雑になるという問題があった。
そこでプリンターに対してスタッカーを接続し、スタッカーに対して更に巻取り機を接続する形態が知られている（例えば特許文献１参照）。
【先行技術文献】
【特許文献】
【０００３】
【特許文献１】特開２００３−１９２２０９号公報
【発明の概要】
【発明が解決しようとする課題】
【０００４】
このようにプリンター、スタッカー、巻取り機の順に接続すると用紙が通過するスタッカーで巻取り機に向けて搬送される用紙にスタッカーの部材が干渉してしまうと、用紙の搬送が不安定になり斜行等が発生して巻取り不良や用紙ジャムなどの原因になる恐れがあった。
本発明は以上のような諸問題にかんがみなされたもので、プリンターにスタッカーを接続してスタッカーを使用する場合とプリンターに接続したスタッカーを介して更に巻取り機を接続して巻取り機を使用する場合において、いずれの装置を使用するか意識せずに適した設定に変更可能なスタッカーを提供することを課題とする。
【課題を解決するための手段】
【０００５】
本発明は、巻取り機を接続可能であると共に、プリンターから排出される用紙片を順次積載するスタッカーであって、用紙片を積載する底面部と、プリンターから排出される用紙片を前記底面部に向けて搬送する搬送部と、前記底面部に着脱可能に設けられ、用紙片の搬送方向先端に当接する用紙ストッパーと、前記搬送部に対して当接または離反位置に移動可能で、当接位置でプリンターから排出される用紙片を挟持搬送する用紙押えローラと、前記用紙ストッパーの着脱に伴い、前記用紙押さえローラを当接位置または離反位置に移動させる接離機構と、を有することを特徴とする。
また、前記用紙押えローラは、底面部に対して前記用紙ストッパーが装着状態で当接位置に位置し、前記用紙ストッパーが未装着状態で離反位置に位置することを特徴とする。
また、前記用紙ストッパーは底面部への装着面に設けられた突出片を有し、前記底面部に設けられ、前記突出片を挿通した状態で摺動可能にガイドするストッパーガイド溝を有し、前記接離機構はストッパーガイド溝の直下に設けられ、前記用紙ストッパーが装着状態で前記突出片により押下げられることで用紙押えローラを当接位置に移動させることを特徴とする。
また、前記接離機構は、ストッパーガイド溝の直下に設けられ、前記用紙ストッパーが装着状態で前記突出片により押下げられることにより移動可能な押下げ片と、一端部が押下げ片の下方に位置し、揺動軸を支点として揺動可能な連動部材と、前記連動部材の他端部の上方に一端部が位置し、他端部が用紙押さえローラの端部に向かって配置され、揺動軸を支点として揺動可能な揺動部材と、前記揺動部材の他端部と用紙押さえローラの端部に渡って設けられ、用紙押えローラを押下げる方向に付勢する第１の付勢手段と、用紙押さえローラを押し上げる方向に付勢する第２の付勢手段と、を有することを特徴とする。
また、前記第１の付勢手段の付勢力は前記第２の付勢手段の付勢力よりも強いことを特徴とする。
【発明の効果】
【０００６】
本発明のスタッカーの接離機構によって用紙ストッパーをスタッカー本体から取り外すだけで用紙押さえローラを搬送部に対して離反する位置に移動できるので、プリンターに接続されたスタッカーに巻取り機を接続して使用する際に作業者はスタッカーの設定（用紙押えローラの位置）変更などを意識する必要がなく操作性が良いという効果を奏する。
また、接離機構によって用紙ストッパーをスタッカー本体に装着するだけで用紙押さえローラを搬送部に対して当接する位置に移動でき、プリンターに接続されたスタッカーを使用する際に作業者はスタッカーの設定（用紙押えローラの位置）変更などを意識する必要がなく操作性が良いという効果を奏する。
【図面の簡単な説明】
【０００７】
【図１】本発明のスタッカーおよびスタッカーに接続したプリンターの概略側面図である。
【図２】スタッカーの概略斜視図である。
【図３】スタッカーの底面部内部に設けられた搬送部の概略斜視図である。
【図４】用紙ストッパー２２の正面図である。
【図５】プリンターが接続されたスタッカーに巻取り機を接続した状態の概略側面図である。
【図６】スタッカーの底面部の内部に設けた接離機構の概略斜視図である。
【図７】接離機構における接離動作を説明するための底面部の概略背面図である。
【図８】接離機構における接離動作を説明するための底面部の概略側面図である。
【発明を実施するための形態】
【０００８】
図１は、本発明の実施の形態に係るスタッカーおよびスタッカーに接続したプリンターの概略側面図であり、図２はスタッカーの概略斜視図である。
図１に示すようにスタッカー２０は、プリンター１から排出される用紙片６２を積載するためにプリンターの用紙搬送方向下流側の排出口７側に接続されている。
【０００９】
まず、プリンター１は、主として長尺状の連続紙６１をロール状に巻回したロール紙６０を回転可能に支持する供給部２と、ロール紙６０から引き出される連続紙６１の位置を検出するセンサ３と、連続紙６１に印字を施すとともに搬送する印字部４と、
インクリボン６４を印字部４に供給し、巻き取るインクリボンユニット５と、長尺状の連続紙６１を単葉の用紙片６２として切断する切断部６と、切断部６で切断処理された用紙片６２を排出する排出口７を有している。連続紙６１は、プリンター１の供給部２が配置された搬送方向上流側から切断部６が配置された搬送方向下流側に向けて搬送され、切断部６で切断された用紙片６２が排出口７から排出される。
【００１０】
供給部２は、ロール紙６０を保持する図示しない用紙供給軸から構成され、ロール紙６０を回転可能に支持する。
センサ３は、光反射型センサであり、連続紙６１に向かって光を出射する発光部と、発光部から出射された光を受光する受光部から構成されている。尚、連続紙６１には、その長手方向に一定間隔で印刷された図示しない位置検出マークが設けられており、この位置検出マークをセンサ３で検出することで連続紙６１の位置を検出している。
また、位置検出マークに換えて連続紙６１に孔を設け、この孔を挟む対向位置に発光部と受光部をそれぞれ配置した光透過型センサとしても良い。
【００１１】
印字部４は、インクリボン６４に熱を与えて連続紙６１にインクを転写させることで印字を行うサーマルヘッド８と、サーマルヘッド８に対向配置され、図示しないモータに接続して回転駆動することにより連続紙６１をスタッカー２０に向かって搬送するプラテンローラ９を有している。
【００１２】
インクリボンユニット５は、リボン供給部１０とリボン巻取部１１を有し、ロール状に巻回されたインクリボン６４をリボン供給部１０からサーマルヘッド８を介してリボン巻取部１１に保持し、図示しないモータに接続されたリボン巻取部１１を回転駆動させることによりインク転写後のインクリボン６４をリボン巻取部１１に巻き取る。
【００１３】
切断部６は、固定刃１２と、この固定刃１２に対して進退方向に移動可能な可動刃１３から構成されたカッタであり、連続紙６１を単葉の用紙片６２に切断する。
【００１４】
また、プリンター１は、図示しない制御部を備え、制御部は、所定の制御プログラムを記憶するＲＯＭと、ＲＯＭに記憶されている制御プログラムに従って動作し、各部を制御するＣＰＵと、ＣＰＵが動作する上で必要となる各種データを記憶するＲＡＭと、モータにパルス信号を供給し、プラテンローラ９による連続紙６１の搬送を制御する搬送制御部と、ＣＰＵから供給される印字すべき文字、図形などの印字データに対応する制御信号を生成してサーマルヘッド８に供給し、印字動作を行わせる印字制御部と、ＣＰＵの制御下、センサ３の発光部を制御し、連続紙６１に向かって光を出射させるとともに、受光部から出力される電気信号を受け取り、デジタルのデータに変換してＣＰＵに供給する検出部と、現在の日時を計時するカレンダＩＣと、プリンター１の各種設定情報などを記憶するフラッシュＲＯＭと、ホストコンピュータからの印字データを受信するインタフェースと、を有している。
【００１５】
次に、図２に基づきスタッカーの構成について説明する。スタッカー２０は、主としてスタッカー本体２１と、用紙ストッパー２２を備えている。スタッカー本体２１は、用紙片６２を積載する底面部２３と、底面部２３の一側部に設けられ、用紙片６２の一側縁を当接させてガイドする側面部２４を有している。底面部２３は、用紙片６２を積載する積載面２５を有し、この積載面２５は搬送方向下流側が上流側よりも低く傾斜し、上流から下流に向けて搬送される。また積載面２５には、搬送部２６と、搬送部２６を駆動させる図示しないモータと、用紙押さえローラ２７を接離動作させる接離機構２８（図６参照）を備えている。尚、用紙片６２または連続紙６３を搬送する方向を搬送方向とし、この搬送方向に直交する方向を幅方向という。
【００１６】
図３は底面部２３内部に設けられた搬送部２６の概略斜視図であり、底面部２３のカバーを外した状態を示している。搬送部２６は、搬送方向上流側に位置してプリンター１から排出される用紙片６２を積載面２５に向かって引き込む引込みローラ２９と、搬送方向下流側に位置する搬送ローラ３０と、引き込みローラ２９および搬送ローラ３０に掛け渡された無端状の搬送ベルト３１を有している。搬送部２６は、底面部２３の幅方向に複数設けられ、幅の大きさの異なる用紙片６２に対応可能としている。搬送ベルト３１は、その上面が積載面２５に形成されたベルト表出溝３２から積載面２５よりも上方に表出し、表出した搬送ベルト２５上に用紙片６２を載せた状態で用紙ストッパー２２が設けられた搬送方向下流側に向けて用紙片６２が搬送され、積載される。また、ベルト表出溝３２に繋がって搬送方向下流側に延びるストッパーガイド溝４２が設けられ、このストッパーガイド溝４２に沿って用紙ストッパー２２の底面に設けられた後述する突出部３８を摺動可能としている。
【００１７】
また、底面部２３には図２に示すようにストッパー係合部３３が積載面２５から上方に突出して設けられている。ストッパー係合部３３は側面部２４から搬送ベルト３１を挟んで反対側に、搬送ベルト３１に平行に設けられ、その表面に凹凸部３４を備えている。この凹凸部３４に後述する用紙ストッパー２２の係合クリップ３７と係合することにより、用紙ストッパー２２を積載面２５に対して任意の位置で固定可能としている。
【００１８】
図４は用紙ストッパー２２の正面図であり、用紙ストッパー２２はストッパー本体３５と、幅ガイド片３６と、係合クリップ３７を備えている。ストッパー本体３５は、その平坦な面が用紙片６２の搬送方向に対して対面する位置に固定可能に設けられ、搬送ベルト３１によって搬送される用紙片６２の先端を当接させることで用紙の先端を綺麗にそろえ、大量に積載される用紙片６２が搬送方向に倒れないように支えるストッパーとしての役目を果たす。用紙ストッパー２２の下面（積載面２５に対向する面）には、下面から突出する突出片３８が設けられ、この突出片３８がストッパーガイド溝４２に係合状態で搬送方向上流側および下流側に用紙ストッパー２２を移動可能とし、用紙片６２の長さに合わせて位置調整を可能としている。用紙ストッパー２２を位置調整後に係合クリップ３７でストッパー係合部３３を挟み込むことで用紙ストッパー２２が積載面２５の任意の位置に固定される。また、突出片３８により後述する押下げ部材７１（図６参照）を押し下げることで接離機構２８を作用させることで用紙押えローラ２７を搬送ベルト３１に当接する位置に移動させることを可能としている。
【００１９】
幅ガイド片３６は、ストッパー本体３５の用紙片６２の先端が当接する平坦な面に形成された幅ガイド係合部３９に係合することで用紙片６２の幅方向の位置決めを行い、ストッパー本体３５の上端に引っ掛けることで位置決め固定を可能としている。幅ガイド片３６は、積載面２５に積載される用紙片６２の幅方向一端側を規制することで整列させた状態で積載面２５上に積載可能とし、ストッパー本体３５に対する位置調整を行うことで幅の異なる用紙片６２にも対応可能としている。
【００２０】
側面部２４には図２に示すように積載面２５に対して垂直方向に形成した長孔４０と、長孔４０内を移動可能な用紙上面押さえ部材４１が設けられている。用紙上面押さえ部材４１は、積載面２５上に積載される用紙片６２の表面（上面）を押え、用紙片６２の反りを修正することで積載された用紙片６２が倒れないようにしている。また、用紙上面押さえ部材４１には側面部の内部側に図示しない錘が接続され、その錘の重量によって用紙片６２の表面を積載面２５に向かって押えている。また、側面部２４には、用紙押えローラ２７の軸の一端側を支持し、長孔４０と平行な第1の軸孔１５を備え、この第1の軸孔１５内を用紙押さえローラ２７の軸が移動可能に設けられている。また、第１の軸孔１５に対向する位置に設けられた用紙押えローラ２７の他端側を支持する支持部材１６に図示しない第２の軸孔１７が設けられている。すなわち、第1の軸孔１６および第２の軸孔１７に沿って用紙押さえローラ２７が引込みローラ２９に平行な状態のまま上下（引込みローラ２９に対して接離）方向に可動に構成されている。
【００２１】
また、図５は図１のスタッカー（の搬送方向下流側）にさらに巻取り機を接続した状態の概略側面図であり、巻取り機５０は連続紙６１をロール状に巻回する用紙巻取軸５１を備えている。プリンター１に対してスタッカー２０のみを接続した場合と異なる点は、プリンター１の切断部６の切断動作を非稼動の設定とし、スタッカー２０の用紙ストッパー２２を取り外した状態で用紙上面押え部材４１で連続紙６１の表面を押えることなく、用紙押さえローラ２７を引込みローラ２９に対して離反させた状態とした点である。用紙巻取軸５１は、図示しないモータに接続されており、このモータによって用紙巻取軸５１を回転させて、印字部４で印字された連続紙６１をロール状に巻き取る。
このように巻取り機５０を使用する場合、スタッカー２０において用紙ストッパー２２を取り外して用紙押さえローラ２７引込みローラ２９に対して離反させる必要があり、用紙ストッパー２２の取り付けの有無によって用紙押えローラ２７を引込みローラ２９に対して当接または離反させる接離機構２８を備えている。
【００２２】
図６はスタッカー２０の底面部２３の内部に設けた接離機構２８の概略斜視図であり、図７（ａ）は図５に示すように巻取り機を接続する場合において接離機構により用紙押えローラ２７を引込みローラ２９に対して離反させた離反状態を示す説明図であり、図７（ｂ）は図１に示すように巻取り機を接続せずにスタッカーとして使用する場合において接離機構により用紙押えローラ２７を引込みローラ２９に対して当接させた当接状態を示す説明図であり、図８（ａ）は図７（ａ）の離反状態の接離機構の動作を説明する概略側面図であり、図８（ｂ）は図７（ｂ）の当接状態の接離機構の動作を説明する概略側面図である。尚、図面の見易さを考慮して所定の部材を省略した状態で図示している。
図６に示すように接離機構２８は、押下げ部材７１と、一対の連動部材７２と、一対の揺動部材７３と、第１の付勢手段としての一対のバネ７４と、第２の付勢手段としての一対の板バネ７５（図８参照）を備えている。
押下げ部材７１は、図７に示すように中央位置にあるストッパーガイド溝４２の真下に直立した状態でガイド部材７６（図６参照）に支持されている。ガイド部材７６は、スタッカー本体２１の底部２１ａに固定され、押下げ部材７１が直立した状態で上下動（ガイド部材７６に対して摺動）可能な状態に保持している。
押下げ部材７１の上端側は、用紙ストッパー２２の突出片３８が当接する当接片７７として形成され、当接片７７が突出片３８により押下げられることによって、ガイド部材７６に沿って押下げ部材７１が下方（スタッカー本体の底部側）に移動可能に構成されている。また押下げ部材７１の下端側には、連動部材７２の一端部７２ａ側を押下げる押下片７８を備えている。押下片７８は、図６に示すように底部２１ａの幅方向（用紙押えローラ２７の長手方向）の両側に向かって左右対称な位置に延出して設けられている。
【００２３】
連動部材７２は、幅方向両側に延出する押下片７８の下方に一端部７２ａが位置するように押下げ部材７１を中心に左右対称な位置に２つ配置され、スタッカー本体２１の底部２１ａに植立した支持部材７９の揺動軸８０を支点として押下げ部材７１の一動作で２つの連動部材７２が揺動自在に設けられている。また、揺動軸８０は連動部材７２の長手方向の中心から押下部材７１側に寄った位置に配置され、連動部材７２は図７（ａ）に示すように連動部材７２になんら外力が加えられない状態で一端部７２ａが上方側に、他端部７２ｂ側が下方側になるように傾いた状態を初期状態として設けられている。このような初期状態から連動部材７２の一端部７２ａが押下片７８によって押下げられる（底部側に向かう外力が加えられる）と図７（ｂ）に示すように揺動軸８０を支点として連動部材７２の一端部７２ａが押下げられ、押下げ部材７１から離れた側の他端部７２ｂが押し上げられる。すなわち、連動部材７２の一端部７２ａが力点、支持部材の揺動軸８０が支点、連動部材７２の他端部７２ｂが作用点として作用する。
尚、揺動部材７３、バネ７４、板バネ７５についても、押下げ部材７１を中心として左右対称位置に一対配置されている。
【００２４】
揺動部材７３は、一端部７３ａを連動部材７２の他端部７２ｂの上方に対向させた位置に配置し、他端部７３ｂが用紙押さえローラ２７の端部に向かって配置されるように２つの揺動部材７３が設けられている。揺動部材７３は、スタッカー本体２１の両側面にそれぞれ固定された揺動軸８１によってその中心を支持され、揺動自在に構成されている。また、他端部７３ｂには第１の付勢手段であるバネ７４を固定する固定部材８２が設けられ、バネ７４の一端部が固定部材８２に、他端部が用紙押えローラ２７の両端の軸にそれぞれ固定され、用紙押さえローラ２７の両端に対してそれぞれ押下げる力を作用している。また、図３および図８に示すようにスタッカー本体２１に一端を固定された状態で用紙押えローラ２７の軸の両端部には第２の付勢手段である板バネ７５が設けられ、この板バネ７５の開放端側で常時用紙押えローラ２７を上方に押し上げる力を作用している。また、板バネ７５が用紙押えローラ２７を上方に押し上げる力は、バネ７４による引張り力よりも弱く調整されている。すなわち、図７（ｂ）および図８（ｂ）に示すように揺動部材７３の他端部７３ｂが下方に押下げられてバネ７４による引張り力が用紙押えローラ２７に加わるときには板バネ７５の押し上げ力に勝る引張り力によって用紙押えローラ２７が下方に押下げられ、用紙押えローラ２７が引込みローラ２９位置の搬送ベルト３１に当接する当接状態になる。
また、図７（ａ）および図８（ａ）に示すように揺動部材７３の一端部７３ａが上方に押上げられてバネ７４による引張り力が用紙押えローラ２７に加わらないときに板バネ７５の押し上げ力によって用紙押えローラ２７が上方に押し上げられ、用紙押えローラ２７が引込みローラ２９位置の搬送ベルト３１から離反する離反状態となる。
【００２５】
以上のように構成した接離機構における接離動作について図７および図８に基づき説明する。
まずは、図１に示すようにプリンター１にスタッカー２０を接続した状態での使用形態における接離機構２８の動作を図７（ｂ）および図８（ｂ）に基づき説明する。
図８（ｂ）に示すように用紙ストッパー２２を装着した装着状態において、用紙ストッパー２２の底面に設けられた突起片３８（図４参照）によって押下げ部材７１が底部２１ａに向かって押下げられる。
【００２６】
次に押下げ部材７１の押下片７８によって一対の連動部材７２の一端部７２ａが底部２１ａに向かって押下げられ、この押下げ動作に伴って揺動軸８０を介して連動部材７２の他端部７２ｂが底部２１ａから離れる方向に押上げられる。
【００２７】
連動部材７２の他端部７２ｂが押上げられるのに伴い、この他端部７２ｂによって図８（ｂ）に示すように揺動部材７３の一端部７３ａが底部２１ａから離れる方向に押し上げられ、この押上げ動作に伴って揺動軸８１を介して揺動部材７３の他端部７３ｂが底部２１ａからに近づく方向に押下げられる。
【００２８】
揺動部材７３の他端部７３ｂが押下げられると、固定部およびバネ７４を介して用紙押さえローラ２７が底部２１ａに近づく方向に押下げられる。このとき用紙押さえローラ２７に対して底部２１ａから離れる上方への押上げ力を加えている板バネ７５の押上げ力を上回る底部２１ａに近づく下方へのバネ７４の引張り力（押下げ力）が加わるため図８（ｂ）に示すように板バネ７５が撓んだ状態で用紙押えローラ２７が搬送ベルト３１に当接する。このような当接状態においてプリンター１から排出される用紙片６２を用紙押えローラ２７と搬送ベルト３１により挟持搬送し、底面部２３に向けての用紙片６２の積載を行う。
【００２９】
次に図５に示すようにプリンター１に接続したスタッカー２０に巻取り機５０を接続した状態での使用形態における接離機構の動作を図７（ａ）および図８（ａ）に基づき説明する。
図５に示すようにスタッカー２０に巻取り機５０を接続する場合、プリンター１の排出口７から排出される連続紙６１から用紙巻取軸５１に至るまでの搬送経路において邪魔になる用紙ストッパー２２を取り外す必要があり、図７（ａ）および図８（ａ）は用紙ストッパー２２を取り外した状態における接離機構２８の離反状態を示している。
【００３０】
まず、用紙ストッパー２２をスタッカー本体２１から取り外すと、突起片３８による押下げ部材７１に対する押下げ力が加わらなくなり、これに伴い連動部材７２の一端部７２ａに対する押下片７８の押下げ力も加わらなくなる。連動部材７２にはなんら外力が加わらない状態となるため一端部７２ａが底部２１ａから離れる上方側に、他端部７２ｂ側が底部２１ａに近づく下方側になるように傾いた図７（ａ）に示すような初期状態となる。
【００３１】
他端部７２ｂが下方側に傾いた状態になると図８（ａ）に示すように揺動部材７３の一端部７３ａが下方側に、他端部７３ｂが上方側として揺動軸８１を介して斜めに傾いた状態となる。これに伴い連動部材７２の他端部７２ｂによる揺動部材７３の先端部７３ａへの押上げ力が作用しなくなり、他端部７３ｂが上方に移動することでバネ７４の引張り力が用紙押えローラ２７に作用しなくなる。バネ７４の引張り力が用紙押えローラ２７に作用しなくなると板バネ７５の押上げ力が用紙押えローラ２７に作用し、図８（ａ）に示すように板バネ７５によって用紙押さえローラ２７が上方に持ち上げられ、用紙押えローラ２７が引込みローラ２９位置の搬送ベルト３１から離反する離反状態となる。
【００３２】
この離反状態で連続紙６１を用紙押えローラ２７と引込みローラ２９位置の搬送ベルト３１の隙間に挿通し、用紙巻取軸５１に連続紙６１の先端付近を巻き付けることでセット作業を完了する。
【００３３】
以上、本発明の実施の形態において接離機構によって用紙ストッパーをスタッカー本体から取り外すだけで用紙押さえローラを搬送部に対して離反する位置に移動できるので、プリンターに接続されたスタッカーに巻取り機を接続して使用する際に作業者はスタッカーの設定（用紙押えローラの位置）変更などを意識する必要がなく操作性が良いという効果を奏する。
また、接離機構によって用紙ストッパーをスタッカー本体に装着するだけで用紙押さえローラを搬送部に対して当接する位置に移動でき、プリンターに接続されたスタッカーを使用する際に作業者はスタッカーの設定（用紙押えローラの位置）変更などを意識する必要がなく操作性が良いという効果を奏する。
【符号の説明】
【００３４】
１    プリンター
２    供給部
３    センサ
４    印字部
５    インクリボンユニット
６    切断部
７    排出口
８    サーマルヘッド
９    プラテンローラ
１０  リボン供給部
１１  リボン巻取部
１２  固定刃
１３  可動刃
２０  スタッカー
２１  スタッカー本体
１２ａ底部
２２  用紙ストッパー
２３  底面部
２４  側面部
２５  積載面
２６  搬送部
２７  用紙押えローラ
２８  接離機構
２９  引込みローラ
３０  搬送ローラ
３１  搬送ベルト
３２  ベルト表出溝
３３  ストッパー係合部
３４  凹凸部
３５  ストッパー本体
３６  幅ガイド片
３７  係合クリップ
３８  突出片
３９  幅ガイド係合部
４０  長孔
４１  用紙上面押さえ部材
４２  ストッパーガイド溝
５０  巻取り機
５１  用紙巻取軸
６０  ロール紙
６１  連続紙
６２  用紙片
６４  インクリボン
７１  押下げ部材
７２  連動部材
７２ａ一端部
７２ｂ他端部
７３  揺動部材
７３ａ一端部
７３ｂ他端部
７４  バネ（第１の付勢手段）
７５  板バネ（第２の付勢手段）
７６  ガイド部材
７７  当接片
７８  押下片
７９  支持部材
８０  揺動軸
８１  揺動軸
８２  固定部材
【図１】
0005534732.tif 000002
【図２】
0005534732.tif 000003
【図３】
0005534732.tif 000004
【図４】
0005534732.tif 000005
【図５】
0005534732.tif 000006
【図６】
0005534732.tif 000007
【図７】
0005534732.tif 000008
【図８】
0005534732.tif 000009